(57)【要約】【課題】波長選択性の絞りフィルタを用いる必要がない光ピックアップおよび光記録媒体処理装置を提供する。【解決手段】第１、第２の波長の光束それぞれを回折して通過させる第１の領域と、第１の領域を囲み、かつ第１の波長の光束の回折強度が第１の領域より小さい第２の領域と、を有する格子部材が、光源と集光レンズの間に配置する。格子部材が第２の波長の光束に対して絞りの役割を果たす。このため、第２の波長の光束を用いる光記録媒体の記録層の深さが第１の波長の光束を再生光とする光記録媒体と相違しても、集光レンズの球面収差による集光不足の問題を軽減できる。【選択図】  図１
2004348816.tif 000002
【特許請求の範囲】
【請求項１】
少なくとも２つ以上の波長の光源のうち、第１の波長の第１の光束を出射する第１の光源と、
前記第１の光源と近接し、かつ前記第１の波長と異なる第２の波長の第２の光束を出射する第２の光源と、
前記第１、第２の光源から出射される前記第１、第２の光束それぞれを光記録媒体に集光する集光レンズと、
前記第１、第２の光源と前記集光レンズとの間にあって、前記第１、第２の光束それぞれを回折して通過させる第１の領域と、前記第１の領域を囲み、かつ前記第１の光束の回折強度が前記第１の領域より小さい第２の領域と、を有する格子部材と、
を具備することを特徴とする光ピックアップ。
【請求項２】
前記集光レンズによって前記光記録媒体に集光される集光位置が前記第１、第２の光束で光軸方向に異なる
ことを特徴とする請求項１記載の光ピックアップ。
【請求項３】
前記第１、第２の領域が略同心円状である
ことを特徴とする請求項１記載の光ピックアップ。
【請求項４】
前記第１の領域の大きさが前記集光レンズの開口数で０．３７以上、０．５５以下である
ことを特徴とする請求項３記載の光ピックアップ。
【請求項５】
前記第１、第２の領域に同心円階段状の回折格子が形成されている
ことを特徴とする請求項３記載の光ピックアップ。
【請求項６】
前記同心円階段状の回折格子の階段の段数または階段の最上段から最下段までの深さの少なくともいずれかが前記第１、第２の領域で異なる
ことを特徴とする請求項５記載の光ピックアップ。
【請求項７】
前記第１の領域を通過する光束の回折強度が前記略同心円の中心から径方向に向かうに従って、小さくなっている
ことを特徴とする請求項３記載の光ピックアップ。
【請求項８】
前記集光レンズと前記第１、第２の光源との間に配置され、前記第１、第２の光束を略平行光に変換するコリメータレンズ
をさらに具備することを特徴とする請求項１記載の光ピックアップ。
【請求項９】
前記格子部材と前記コリメータレンズが、一体的に形成されている
ことを特徴とする請求項８記載の光ピックアップ。
【請求項１０】
前記格子部材が、前記第１、第２の光束のいずれかを略平行光に変換する
ことを特徴とする請求項１記載の光ピックアップ。
【請求項１１】
前記光記録媒体から反射された前記第１、第２の光束を受光する受光素子
をさらに具備することを特徴とする請求項１記載の光ピックアップ。
【請求項１２】
（ａ）光記録媒体が載置されるステージと、
（ｂ）第１の波長の第１の光束を出射する第１の光源と、
前記第１の光源と近接し、かつ前記第１の波長と異なる第２の波長の第２の光束を出射する第２の光源と、
前記第１、第２の光源から出射される前記第１、第２の光束それぞれを前記光記録媒体に集光する集光レンズと、
前記第１、第２の光源と前記集光レンズとの間にあって、前記第１、第２の光束それぞれを回折して通過させる第１の領域と、前記第１の領域を囲み、かつ前記第１の光束の回折強度が前記第１の領域より小さい第２の領域と、を有する格子部材とを有する光ピックアップと
を具備することを特徴とする光記録媒体処理装置。
【発明の詳細な説明】
【０００１】
【発明の属する技術分野】
本発明は、互いに波長の異なる複数の光束を用いて異なる光記録媒体への情報の記録、再生の少なくともいずれかを行う光ピックアップおよび光記録媒体処理装置に関する。
【０００２】
【従来の技術】
光を用いて情報の記録、再生を行う光記録媒体（例えば、光ディスク）が用いられている。光記録媒体には、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の複数の規格があり、規格が異なると記録、再生に用いる光の波長、記録密度、基材の厚さ（基材の表面から記録層に至るまでの深さ）等が異なってくる。
【０００３】
再生光の波長、および記録層の深さが互いに異なる複数の光記録媒体それぞれからの情報の記録、再生が可能な光ピックアップおよびこれを用いた光記録媒体処理装置（例えば、光ディスク装置）が提案されている。
【０００４】
ここで、記録層の深さが互いに異なる光記録媒体（例えば、ＣＤ、ＤＶＤ）の再生に同一の対物レンズを用いると、対物レンズの球面収差が問題となる。例えばＤＶＤ用に設計された対物レンズを用いてＣＤを再生する場合には、ＣＤの記録面が対物レンズの設計焦点距離からずれる。このために、レンズの中央部と周辺部を通るレーザ光の収束位置がズレ（球面収差が生じ）、記録面にレーザ光を充分に集光できなくなり、ＣＤを良好に再生することが困難になる。
【０００５】
このような場合に球面収差を改善する方法として、例えば、ＣＤの再生時に対物レンズの開口を絞ることが知られている。すなわち、対物レンズの周辺部を通るレーザ光を遮光し、対物レンズの中央部を通るレーザ光のみを記録面に集光させることで球面収差が改善され、ＣＤの再生が容易となる。
【０００６】
ＣＤを再生するときのみに対物レンズの開口を絞るには、光の波長に対応して光記録媒体上での光束のスポット径を変化させる波長選択性の絞りフィルタを集光レンズの手前に配置することが考えられる（例えば、特許文献１参照）。
【０００７】
【特許文献１】
特開２００２−２７９６８５号公報。
【０００８】
【発明が解決しようとする課題】
しかしながら、集光レンズの手前に絞りを配置すると光ピックアップのアクチュエータユニットが大型化し、小型軽量化およびコスト面で不利となるおそれがある。
【０００９】
上記に鑑み、本発明は、波長選択性の絞りフィルタを用いる必要がない光ピックアップおよび光記録媒体処理装置を提供することを目的とする。
【００１０】
【課題を解決するための手段】
上記の目的を達成するため、本発明の主たる観点に係る光ピックアップは、第１の波長の第１の光束を出射する第１の光源と、前記第１の光源と近接し、かつ前記第１の波長と異なる第２の波長の第２の光束を出射する第２の光源と、前記第１、第２の光源から出射される前記第１、第２の光束それぞれを光記録媒体に集光する集光レンズと、前記第１、第２の光源と前記集光レンズとの間にあって、前記第１、第２の光束それぞれを回折して通過させる第１の領域と、前記第１の領域を囲み、かつ前記第１の光束の回折強度が前記第１の領域より小さい第２の領域と、を有する格子部材と、を具備することを特徴とする。
【００１１】
本発明の別の観点に係る光記録媒体処理装置は、（ａ）光記録媒体が載置されるステージと、（ｂ）第１の波長の第１の光束を出射する第１の光源と、前記第１の光源と近接し、かつ前記第１の波長と異なる第２の波長の第２の光束を出射する第２の光源と、前記第１、第２の光源から出射される前記第１、第２の光束それぞれを前記光記録媒体に集光する集光レンズと、前記第１、第２の光源と前記集光レンズとの間にあって、前記第１、第２の光束それぞれを回折して通過させる第１の領域と、前記第１の領域を囲み、かつ前記第１の光束の回折強度が前記第１の領域より小さい第２の領域と、を有する格子部材とを有する光ピックアップとを具備することを特徴とする。
【００１２】
第１、第２の波長の光束それぞれを回折して通過させる第１の領域と、第１の領域を囲み、かつ第１の波長の光束の回折強度が第１の領域より小さい第２の領域と、を有する格子部材が、光源と集光レンズの間に配置されている。このため、格子部材が第２の波長の光束に対して絞りの役割を果たす。従い、第２の波長の光束を用いる光記録媒体の記録層の深さが第１の波長の光束を再生光とする光記録媒体と相違しても、集光レンズの球面収差による集光不良の問題を軽減できる。
（１）ここで、前記集光レンズによって前記光記録媒体に集光される集光位置が前記第１、第２の光束で光軸方向に異なってもよい。
【００１３】
これは、例えば、格子部材を通過した光束の広がりが第１、第２の波長で異なるように、格子部材を設計することで実現できる。このようにすることで、光記録媒体の記録層の深さに応じて集光レンズを光軸方向に移動する必要性を低減できる。
（２）格子部材は、例えば、前記第１、第２の領域が略同心円状として、前記第１の領域の大きさが前記集光レンズの開口数で０．３７以上、０．５５以下とすることができる。例えば、ＣＤの再生に適した開口数になるように格子部材により光束を絞ることができる。
（３）前記第１、第２の領域に同心円階段状の回折格子が形成され、また前記同心円階段状の回折格子の階段の段数または階段の最上段から最下段までの深さの少なくともいずれかが前記第１、第２の領域で異なってもよい。
【００１４】
回折格子の階段の段数または階段の最上段から最下段までの深さを第１、第２の領域で異ならせることで、第１，第２の領域での回折強度を第１、第２の波長に対応して異ならせることができる。
（４）前記第１の領域を通過する光束の回折強度が前記略同心円の中心から径方向に向かうに従って、小さくなるようにしてもよい。
【００１５】
格子部材をいわゆるアポタイゼーションフィルタとして機能させることで、トラッキング方向に集光レンズが移動する場合等に発生する信号劣化を低減できる。
（５）光ピックアップが、集光レンズと前記第１、第２の光源との間に配置され、前記第１、第２の光束を略平行光に変換するコリメータレンズをさらに具備してもよい。
【００１６】
ここで、格子部材と前記コリメータレンズを、一体的に形成することで、複数の部材を配置する必要がなくなる。例えば、コリメータレンズの表面に回折格子を形成することで、格子部材とコリメータレンズの一体化を図ることができる。
（６）前記格子部材が、前記第１，第２の光束のいずれかを略平行光に変換してもよい。
【００１７】
格子部材にコリメータレンズとしても機能させることができる。
（７）光ピックアップが、前記光記録媒体から反射された前記第１、第２の光束を受光する受光素子をさらに具備してもよい。
【００１８】
受光素子を用いて光記録媒体からの情報の再生を行うことができる。
【００１９】
【発明の実施の形態】
以下、本発明の実施の形態について図面を用いて詳しく説明する。
（第１の実施形態）
図１は、本発明の第１の実施形態に係る光ピックアップ１０を表す模式図である。光ピックアップ１０は、ＣＤ、ＤＶＤ等の光記録媒体２０ａ，２０ｂからの情報の読取を行うものであり、発光素子１１，光路変換素子１２，コリメータレンズ１３，格子部材１４，集光レンズ１５，受光素子１６を備える。
【００２０】
このうち発光素子１１，光路変換素子１２，コリメータレンズ１３，格子部材１４，受光素子１６はケーシング１７に設置される。
【００２１】
発光素子１１は、波長λ１（例えば、６３５ｎｍ）の光束Ｌ１を出射する発光素子１１ａと、波長λ２（例えば、７８０ｎｍ）の光束Ｌ２を出射する発光素子１１ｂとを同一の筐体内に支持して成る２波長光源である。波長λ１の光束Ｌ１は、基材が相対的に薄く、相対的に記録密度の高い光記録媒体２０ａ（例えば、ＤＶＤ）を記録再生することができる。波長λ２の光束Ｌ２は、基材が相対的に厚く、相対的に記録密度の低い光記録媒体２０ｂ（例えば、ＣＤ）を記録再生することができる。発光素子１１ａと発光素子１１ｂとは距離Ｌだけ離れて近接して配置される。具体的には、例えば同一基板上に発光素子１１ａ用のレーザチップ（レーザダイオードが形成されたチップ）と発光素子１１ｂ用のレーザチップとを同一チップとして形成し、これをパッケージ内に配置することにより発光素子１１を構成できる。
【００２２】
光路変換素子１２は，発光素子１１から出射された光束Ｌ１，Ｌ２の光路を変換するビームスプリッタ等の光学素子である。
【００２３】
コリメータレンズ１３は，光路変換素子１２で光路が変換された光束Ｌ１，Ｌ２を平行光に変換するレンズである。
【００２４】
格子部材１４は，同心円階段状の回折格子が形成された光学部材であり、波長λ１，λ２に応じて光学的な絞り、および通過する光束の広がりの度合いが変化する。なお、この詳細は後述する。
【００２５】
集光レンズ１５は，格子部材１４から出射した光束Ｌ１，Ｌ２を光記録媒体２０ａ，２０ｂに集光するレンズである。
【００２６】
受光素子１６は、光記録媒体２０ａ，２０ｂで反射された光束Ｌ１，Ｌ２を受光する受光素子である。
【００２７】
次に格子部材１４の詳細を説明する。
【００２８】
図２は、格子部材１４を正面から見た状態を表す正面図である。図３は、格子部材１４の断面の一部を表す断面図である。
【００２９】
図２，３から判るように、格子部材１４は領域Ａ，Ｂに区分され、これら領域Ａ，Ｂに同心円階段状（ステップ状）の回折格子（同心円ホログラフィック回折格子）が形成されている。図３には、階段の段数Ｎが６、各段（ステップ）の深さＳＴ、各段の幅Ｗの同心円階段状の回折格子が表されているが、階段の段数Ｎ、各段（ステップ）の深さＳＴ、最上段から最下段までの深さ（各段の深さＳＴと段数Ｎとの積）の少なくともいずれかが領域Ａ，Ｂで異なっている。
【００３０】
領域Ａは集光レンズ１５の開口数で０．３７以上、０．５５以下の範囲になるようにその半径ｒａが設定され、領域Ｂはその半径ｒｂが１．９３ｍｍ程度以上となっている。即ち、この領域Ａ、Ｂの大きさはそれぞれＣＤ、ＤＶＤの軸上エリア及び集光レンズ１５のトラッキング方向への移動時に適した開口となるように設定されている。
【００３１】
この階段状の回折格子は、波長λ１，λ２の光束Ｌ１，Ｌ２それぞれを異なった経路へと導くようにそのステップ深さＳＴおよび段数Ｎが設定される。具体的には、領域Ａ，Ｂで光束Ｌ１，Ｌ２の回折効率と回折光の広がりが次のようになるように、それぞれのステップ深さＳＴａ、ＳＴｂおよび段数Ｎａ、Ｎｂが設定される。
（１）回折効率η
波長λ１の光束Ｌ１：領域Ａ，Ｂのいずれでも回折効率η１が例えば、図４に示すように半径ｒａで極端な効率低下がないように、領域Ａ，Ｂそれぞれのステップ深さＳＴａ、ＳＴｂおよび段数Ｎａ、Ｎｂを設定する。
【００３２】
波長λ２の光束Ｌ２：領域Ｂでの回折効率η２が領域Ａでの回折効率η１より小さくなるように、領域Ａ，Ｂそれぞれのステップ深さＳＴａ、ＳＴｂおよび段数Ｎａ、Ｎｂを設定する。
【００３３】
これは、領域Ａでは回折効率ηが波長λ１、λ２いずれでも略連続的となるようにステップ深さＳＴａおよび段数Ｎａを設定して、領域Ｂでは波長λ１での回折効率η方が波長λ２での回折効率よりも大きくなるようにステップ深さＳＴｂおよび段数Ｎｂを設定することで実現できる。
【００３４】
具体的には、次に示すように、領域Ａ，Ｂでのステップ深さＳＴａ、ＳＴｂおよび段数Ｎａ、Ｎｂの積を波長λ１に対しては位相差が波長の整数倍となるように設定する。また、波長λ２に対しては領域Ａよりも領域Ｂの効率が小さくなるような段数Ｎａ、Ｎｂが選択される。
【００３５】
（ｎ−１）・ＳＴａ・Ｎａ＝λ１・ｍ１（≠λ２・ｍ２）
（ｎ−１）・ＳＴｂ・Ｎｂ＝λ１・ｍ３（≠λ２・ｍ４）
ここで、ｎ：格子部材１４の屈折率、ｍ１〜ｍ４：自然数  である。
【００３６】
例えば、領域Ａ、Ｂでの回折光の次数を波長λ１に対しては０次、波長λ２に対しては１次になるように設定する。
【００３７】
図４は、格子部材１４による回折光の回折効率ηをその中心距離ｒに対応して表したグラフである。図４に示すように波長λ１の回折効率η１は中心距離ｒに対しなだらかに変化していき、波長λ２の光束Ｌ２の回折効率ηは領域Ａ、Ｂの境界の半径ｒａでη２となり大きく変化していることが判る。
【００３８】
つまり、波長λ１に対して、いわゆるアポダイゼーションフィルタ機能を持たせている。半径方向の回折光強度分布を調整することで、開口絞りの役割と、集光レンズ１５の視野方向移動による信号劣化量を低減する役割を担わせることが可能となる。アポダイゼーション機能がない場合、光記録媒体２０ｂのチルトによる信号劣化が顕著となり、波長λ１での信号読み取り能力が低下してしまう。
【００３９】
このようにすることで、波長λ１に対しては波長λ２より大きな開口数ＮＡを持たせ、波長によって開口数ＮＡが変化する開口絞りとして格子部材１４を機能させ、集光レンズ１５のトラッキング方向への移動による信号劣化、及び光記録媒体２０ｂのチルトによる信号劣化を抑えることが可能となる。
（２）回折光の広がり
波長λ１では回折光に広がりを持たせず入射した光束がそのまま通過するように、ステップ深さＳＴａ、ＳＴｂおよび段数Ｎａ、Ｎｂを設定する。波長λ２では回折光に広がりを持たせ入射した光束が広がって通過するように、中心部から外側に行くに従って、傾向的に階段の幅（ピッチ）Ｗを狭くあるいは傾向的にステップ数Ｎａやステップ深さＳＴａ等を変化させステップ深さＳＴｂおよび段数Ｎｂを設定する。
【００４０】
図１には波長λ１，λ２に対する回折光の広がりの相違が表されている。コリメータレンズ１３で平行光に変換された波長λ１の光束Ｌ１は格子部材１４を通過しても平行光の状態がそのまま保たれる。一方、コリメータレンズ１３で平行光となった波長λ２の光束Ｌ２は格子部材１４を通過することで、平行光から広がりを持った発散光束に変換される。
【００４１】
このようにすることで、光記録媒体２０ａ，２０ｂの基材の厚さの相違に対応させて光の広がりを調節し、光記録媒体２０ａ，２０ｂで発生する球面収差の相違を吸収できる。
【００４２】
上記の（１）、（２）は同一の格子部材１４で同時に達成できる。即ち、波長λ１，λ２の光束Ｌ１，Ｌ２が異なる経路をたどることで、光記録媒体２０ａ，２０ｂの基材厚みと開口数の差を吸収して、それぞれの記録層に光束を集光できる。
【００４３】
以下に光ピックアップ１０の動作を説明する。なお、以下の説明では判り易さのために、光束Ｌ１，Ｌ２を並列して説明するが、実際には設置した光記録媒体２０ａ，２０ｂに応じて発光素子１１から光束１または光束２のいずれか一方が出射されるようにしてもよい。
（１）発光素子１１より出射した第１、第２の光束は、光路変換素子１２によりその光路が９０°変換され、コリメータレンズ１３により平行光となり、格子部材１４に入射する。
（２）格子部材１４は、光束Ｌ１，Ｌ２の波長λ１，λ２が異なることから、光束Ｌ１，Ｌ２それぞれに対して異なる作用をもたらす。光束Ｌ１はコリメータレンズ１３から出射した平行光のまま格子部材１４から出射する。光束Ｌ２はコリメータレンズ１３から出射した平行光が光軸方向に広がりを持った発散光となりかつ、領域Ｂ内を通過した光の強度が領域Ａを通過した光の強度より弱くなる。即ち、第２の光束は発散光となり、かつその光束の径が絞られる効果がある。
（３）格子部材１４を通過した光束Ｌ１，Ｌ２は光記録媒体２０ａ，２０ｂの記録層それぞれに集光する。このとき、光束Ｌ２は光束Ｌ１よりも絞られ、小さな開口数ＮＡで集光する。また、格子部材１４を通過したとき光束Ｌ１が平行光であるのに対して、光束Ｌ２が発散光であることから、光束Ｌ２は光束Ｌ１よりも集光レンズ１５から離れた位置で収束する。このようにして、光記録媒体２０ａ，２０ｂの基材の厚さ（記録層の光軸方向位置）の相違に対応するように、格子部材１４から出射する光束Ｌ１，Ｌ２の状態が調節される。その結果、異なる厚さの光記録媒体２０ａ，２０ｂを読み取ることが可能となる。
（４）光記録媒体２０ａ，２０ｂの記録層で反射された光束Ｌ１，Ｌ２は、集光レンズ１５、格子部材１４、コリメータレンズ１３、光路変換素子１２を通過し、受光素子１６に入射し、光記録媒体２０ａ，２０ｂの情報が読み取られる。
【００４４】
なお、本実施形態では、図１に示すように、固定部側光路中に格子部材１４を導入し、光記録媒体２０ａ，２０ｂの基材厚さと開口数ＮＡの差を吸収している。
【００４５】
固定部側光路中に格子部材１４を導入することは以下のような利点がある。
（１）曲率が小さい面（例えば、レンズの曲面）に格子を形成する必要がないため、金型製作が容易になり、コストダウンが可能となる。
（２）可動部１８の２軸アクチュエータに、特別な光学素子を取り付ける必要がなくなるため、２軸アクチュエータの小型軽量化がはかれ、かつ、コストダウンも可能となる。
（３）複数の波長λ１，λ２を使用して、情報を記録、再生するための光ピックアップを、安価に実現できる。
【００４６】
アポダイゼーションフィルタの設置は、上述のような格子部材１４自体にアポダイゼーションフィルター機能を持たせることではなく、アポダイゼーションフィルター相当の光学膜を格子部材１４とは別途に導入することで実現しても良い。
【００４７】
いずれにしても、固定部側の往復光路中にアポダイゼーションフィルタを設置することで、トラッキング方向に集光レンズ１５を移動した時の信号へのノイズの混入を軽減できる。
（第２実施形態）
図５は、本発明の第２の実施形態に係る光ピックアップ１０ａを表す模式図である。本実施形態では、コリメータレンズ１５ａの下面に回折格子が形成され、コリメータレンズ１５ａと格子部材１４ａとが一体的に形成されている。その他の点では、第１の実施形態と本質的に相違する訳ではないので説明を省略する。
【００４８】
格子部材１４ａにより、光束Ｌ１，Ｌ２がその波長λ１，λ２の違いにより異なった経路をたどることを利用して、光記録媒体２０ａ，２０ｂの基材厚みと開口数ＮＡの相違を吸収できる。
（第３実施形態）
図６は、本発明の第３の実施形態に係る光ピックアップ１０ｂを表す模式図である。本実施形態は、光ピックアップ１０ｂはコリメータレンズを有さず、その代わりに格子部材１４ｂがコリメータレンズとしても機能するようになっている。その他の点では、第１の実施形態と本質的に相違する訳ではないので説明を省略する。
【００４９】
格子部材１４ｂにより、波長λ１，λ２の違いにより異なった経路をたどることを利用して、光記録媒体２０ａ，２０ｂの基材厚さと開口数ＮＡの差を吸収できる。
【００５０】
【発明の効果】
以上説明したように、波長選択性の絞りフィルタを用いる必要がない光ピックアップおよび光記録媒体処理装置を提供することができる。
【図面の簡単な説明】
【図１】本発明の第１の実施形態に係る光ピックアップの構成を表す模式図である。
【図２】格子部材を正面から見た状態を表す正面図である。
【図３】格子部材の断面の一部を表す断面図である。
【図４】アポダイゼーションフィルタ機能を持たせた格子部材による回折光の回折効率をその中心距離に対応して表したグラフである。
【図５】本発明の第２の実施形態に係る光ピックアップの構成を表す模式図である。
【図６】本発明の第３の実施形態に係る光ピックアップの構成を表す模式図である。
【符号の説明】
１０、１０ａ，１０ｂ      光ピックアップ
１１（１１ａ、１１ｂ）      発光素子
１２      光路変換素子
１３      コリメータレンズ
１４      格子部材
１５      集光レンズ
１６      受光素子
１７      ケーシング
１８      アクチュエータ
２０（２０ａ，２０ｂ）      光記録媒体
【図１】
2004348816.tif 000003
【図２】
2004348816.tif 000004
【図３】
2004348816.tif 000005
【図４】
2004348816.tif 000006
【図５】
2004348816.tif 000007
【図６】
2004348816.tif 000008